(57)【要約】【課題】スクリーンの平面性を維持することが可能なリアプロジェクタを提供する。【解決手段】光源から射出された光を画像信号に応じて変調してスクリーン６へ投射するリアプロジェクタ１であって、スクリーン６の縁辺を受けるためのスクリーン受部１５を有する前面外装５と、該縁辺に沿ってスクリーン６に貼付された支持部材１１と、支持部材１１の係合面１１ａと係合するように前面外装５へ固定された支持バネ１２と、を備え、支持バネ１２は、スクリーン６をスクリーン受部１５へ押し付けるための押圧力Ｑとスクリーン６の面に平行な方向の張力Ｐとをスクリーン６へ付与し、スクリーン６の平面性を保持する。【選択図】図３
2008112023.tif 000002
【特許請求の範囲】
【請求項１】
光源から射出された光を画像信号に応じて変調してスクリーンへ投射するリアプロジェクタであって、
前記スクリーンの縁辺を受けるための受面を有する枠体と、
前記縁辺に沿って前記スクリーンに貼付された支持部材と、
前記支持部材の係合面と係合するように前記枠体へ固定された弾性部材と、を備え、
前記弾性部材は、前記スクリーンを前記受面へ押し付けるための押圧力と前記スクリーンの面に平行な方向の張力とを前記スクリーンへ付与し、前記スクリーンの平面性を保持することを特徴とするリアプロジェクタ。
【請求項２】
請求項１に記載のリアプロジェクタにおいて、
前記支持部材と前記弾性部材は、前記スクリーンの対向する前記縁辺にそれぞれ設けられていることを特徴とするリアプロジェクタ。
【請求項３】
請求項１または２に記載のリアプロジェクタにおいて、
前記支持部材は、前記係合面が前記スクリーンの前記受面に対向する面と反対側の面に位置するように貼付されていることを特徴とするリアプロジェクタ。
【請求項４】
請求項３に記載のリアプロジェクタにおいて、
前記弾性部材は、一端が前記係合面の前記スクリーンとの最近部で係合し、他端が前記枠体へ固定されて、前記スクリーンへ前記押圧力および前記張力を付与することを特徴とするリアプロジェクタ。
【請求項５】
請求項１から４のいずれか一項に記載のリアプロジェクタにおいて、
前記スクリーンは、前記枠体の前記受面の側から順にレンチキュラーレンズとフレネルレンズとを有する構成であることを特徴とするリアプロジェクタ。
【発明の詳細な説明】
【技術分野】
【０００１】
本発明は、映像表示のためのスクリーンを備えたリアプロジェクタに関する。
【背景技術】
【０００２】
リアプロジェクタは、プロジェクタとスクリーンが１つの筐体に収納されていて、プロジェクタから映像をスクリーンに投射し、スクリーンに対してプロジェクタと反対側の位置からスクリーンを透過した映像を見る装置である。従来、リアプロジェクタが備えるスクリーンは、レンズシートなどで構成されていて、スクリーンへ投射される映像が歪みなどを生じることのないように、スクリーンの平面性を保つための展張力が付与されている。具体的には、例えば特許文献１に示すように、スクリーンの端部が鋭角的に折り返されていて、この折り返された折返部へ板バネが係合することによって、スクリーンへ展張力を付与している。また、特許文献２によれば、鋭角的に折り返された折返部を有する係合部材がスクリーンへ張着されていて、この係合部材の折返部へ板バネが係合することによって、スクリーンへ展張力を付与している。
【０００３】
【特許文献１】特開平５−４０３１４号公報
【特許文献２】特開平６−６７３０５号公報
【発明の開示】
【発明が解決しようとする課題】
【０００４】
しかし、従来の技術において、特許文献１では、スクリーンを構成するレンズシートを鋭角的に折り返す加工が必要であり、この加工は、レンズの形成に追加して行うため、金型コスト含め生産性の面で実用性に欠けるという課題があった。また、特許文献１および２では、折返部へ板バネを係合する際に、板バネが折返部の最奥位置で係合せず折返部の折返側面と接触して係合する場合がある。この場合、折返部に対して、展張力と異なる方向の回転モーメントが加えられる。そのため、スクリーンが回転モーメントによって歪んで、スクリーンの平面性が保たれないという課題があった。
【０００５】
本発明は、上記課題を解決するために、スクリーンの平面性を維持することが可能なリアプロジェクタを提供することを目的とする。
【課題を解決するための手段】
【０００６】
本発明のリアプロジェクタは、光源から射出された光を画像信号に応じて変調してスクリーンへ投射するものであって、スクリーンの縁辺を受けるための受面を有する枠体と、縁辺に沿ってスクリーンに貼付された支持部材と、支持部材の係合面と係合するように枠体へ固定された弾性部材と、を備え、弾性部材は、スクリーンを受面へ押し付けるための押圧力とスクリーンの面に平行な方向の張力とをスクリーンへ付与し、スクリーンの平面性を保持することを特徴とする。
【０００７】
このリアプロジェクタによれば、弾性部材によって張力および押圧力の２方向の力をスクリーンへ付与して、スクリーンを枠体に取り付けている。この構成では、弾性部材が支持部材の係合面と係合すると、まず、スクリーンの面に対して平行方向へ作用する弾性部材の張力により、スクリーンの面が弛みや歪み等のない平面状態に張られる。同時に、スクリーンの面に対して略垂直方向へ作用する弾性部材の押圧力により、スクリーンが受面へ押し付けられ枠体と一体の状態になる。このように、スクリーンは、弾性部材の張力および押圧力によって枠体に取り付けられているため、スクリーンが周囲の環境変化などで伸縮した場合でも、押圧力により枠体から離反することがなく、さらに、張力により伸縮が補正されて、スクリーンの平面性が保持される。従って、リアプロジェクタは、スクリーンに投射された映像を、歪みなどのほとんどない状態で提供することが可能である。
【０００８】
この場合、支持部材と弾性部材は、スクリーンの対向する縁辺にそれぞれ設けられていることが好ましい。
【０００９】
この構成によれば、スクリーンの対向している縁辺のそれぞれの側から張力および押圧力をスクリーンへ付与する構成である。そのため、スクリーンに対して、両側から張力をバランス良く付与すると共にバランスを維持することができ、スクリーンの伸縮などによる歪みなどを効果的に補正して、スクリーンの平面性の保持が図れる。また、同時に、押圧力によりスクリーンのほぼ全周を受面へ確実に密着させることができ、枠体にスクリーンを安定した状態で取り付けられる。こうして、リアプロジェクタは、スクリーンの平面性を確実に保持して、歪みなどがより抑制された映像を提供することが可能である。
【００１０】
また、支持部材は、係合面がスクリーンの受面に対向する面と反対側の面に位置するように貼付されていることが好ましい。
【００１１】
この構成によれば、支持部材は、係合面が受面に対向している面と反対側のスクリーン面に位置するように貼付されていて、この配置によれば、弾性部材によって、係合部を介してスクリーンへ張力を付与する作用と、スクリーンへ押圧力を付与する作用とを、スクリーンの同一側において行うことが可能である。従って、弾性部材が複雑な構成とならず、コンパクトに設定することが容易であり、省スペース化が図れる。
【００１２】
この場合、さらに、弾性部材は、一端が係合面のスクリーンとの最近部で係合し他端が枠体へ固定されて、スクリーンへ押圧力および張力を付与することが好ましい。
【００１３】
この構成によれば、受面側と反対側のスクリーン面に位置した係合面のスクリーンに最も近い部分と、弾性部材の一端と、が係合しており、この係合した接部において、弾性部材は、張力および押圧力の２方向の力を、同時に、スクリーンへ付与することが可能である。また、弾性部材の他端は、弾性部材の該一端が張力および押圧力を作用させるように枠体へ固定されている。このように、弾性部材の一端が係合するだけの簡単な構成でありながら、スクリーンへ張力および押圧力を付与することができ、且つ、係合の接部がスクリーンの直近であるため、スクリーンを回転させる回転モーメントが作用しない。よって、常に、スクリーンの平面性が保持される。
【００１４】
そして、スクリーンは、枠体の受面の側から順にレンチキュラーレンズとフレネルレンズとを有する構成であることが好ましい。
【００１５】
この構成によれば、スクリーンは、変調されてスクリーンへ入射する光の入射角度を略同方向に変換するフレネルレンズと、フレネルレンズからの光を視野角が広がるように拡大させるレンチキュラーレンズとで構成されている。レンチキュラーレンズを通した映像は、歪みなどがほとんど無いことに加え、広い視野角を有するため、スクリーンの正面以外の斜め方向からも視認することが可能である。
【発明を実施するための最良の形態】
【００１６】
以下、本発明のリアプロジェクタを具体化した実施形態について図面に従って説明する。リアプロジェクタは、プロジェクタとスクリーンが１つの筐体に収納されていて、プロジェクタから映像をスクリーンに投射し、スクリーンに対してプロジェクタと反対側の位置からスクリーンを透過した映像を見る装置である。最初に、このリアプロジェクタの概要について説明する。
【００１７】
図１は、本発明のリアプロジェクタの概略の構成を示す断面図である。図１に示すように、リアプロジェクタ１は、外装筺体２と、プロジェクタユニット３と、により概略構成されている。外装筺体２は、平面視略四角形の開口部５ａが設けられている前面外装（枠体）５を有し、背面が斜面をなして底面より上面が狭い箱形の形状である。前面外装５には、スクリーン６が支持機構部１０によって取り付けられ、開口部５ａの全域を塞ぐように設置されている。このスクリーン６は、外装筐体２の上面方向から底面方向にかけて略垂直面をなしており、開口部５ａの上面側、底面側および両側面の対向する辺にそれぞれ設けられている支持機構部１０によって保持されている。
【００１８】
プロジェクタユニット３は、外装筺体２の内部の底面に設置され、プロジェクタユニット３を制御する制御部３ａと、光源部３ｂと、光源部３ｂから射出された光を画像信号に基づいて変調して画像光Ｌを形成する光変調部３ｃと、画像光Ｌを拡大してスクリーン６へ投射する投射部３ｄと、を有する。そして、外装筺体２の内部に、投射部３ｄからの画像光Ｌをスクリーン６へ反射する反射ミラー４が設けられている。
【００１９】
さらに、図示していないが、外装筐体２の内部には、プロジェクタユニット３、反射ミラー４の他、リアプロジェクタ１の各構成部に電力を供給する電源ユニット、リアプロジェクタ１の内部を冷却する冷却ユニット、音声を出力する音声出力部などが設置されている。
【００２０】
このような構成のリアプロジェクタ１において、制御部３ａは、図示を省略してあるチューナ、ＩＦ回路、音声検波回路、映像検波回路、増幅回路、およびＣＰＵなどを備えて構成され、プロジェクタユニット３を統括的に制御する。また、制御部３ａは、例えば、リモートコントローラ（不図示）の操作によって選択されたチャンネルに対応する周波数の信号を抽出して、画像信号をプロジェクタユニット３に出力すると共に、音声信号を音声出力部に出力する。
【００２１】
また、リアプロジェクタ１の光源部３ｂは、放電式ランプであるメタルハライドランプを用いている。光源部３ｂには、放電式ランプのほかに、ＬＥＤ（Light  Emitting  Diode）、ＬＤ（Laser  Diode）などの個体光源素子を光源として用いることも可能である。
【００２２】
光源部３ｂからの光を変調する光変調部３ｃは、透過型の液晶パネルを用いた透過型液晶方式のものである。光変調部３ｃの液晶パネルは、複数の画素が形成されており、光源部３ｂから射出した光を、画像信号に基づいて画素毎に変調することにより、画像信号に応じた画像光Ｌを形成する。画像光Ｌは、投射部３ｄの投射レンズによって、反射ミラー４に向けて射出され、反射ミラー４で反射されてスクリーン６へ拡大投射される。なお、光変調部３ｃには、反射型液晶方式の液晶パネルを使用することも可能である。
【００２３】
次に、スクリーン６の構成について説明する。図２は、スクリーンと、投射部からの入射光との関係を示す模式図である。図２では、説明のためスクリーン６のみを拡大して表示してあり、他部と縮尺が異なっている。図２に示すように、スクリーン６は、スクリーン６に投射された映像を見る側に設置されているレンチキュラーレンズ６ａと、反射ミラー４の側に設置されているフレネルレンズ６ｂと、により構成されている。レンチキュラーレンズ６ａおよびフレネルレンズ６ｂは、共にシート状の形態に形成されているレンズシートである。
【００２４】
レンチキュラーレンズ６ａは、シート状のメタクリル樹脂に図２に示す断面蒲鉾型のレンズを成型したものであり、フレネルレンズ６ｂは、シート状のアクリル樹脂に図２に示す断面鋸刃状のレンズを成型したものである。使用する樹脂としては、この２種以外であっても良い。なお、スクリーン６は、前面外装５の開口部５ａとほぼ同形の略四角形をなしている。また、図２では、レンチキュラーレンズ６ａとフレネルレンズ６ｂとの間を離して描いてあるが、この間隙はなくてもよい。
【００２５】
スクリーン６を構成するフレネルレンズ６ｂは、スクリーン６の背面６ｃから反射ミラー４を介してそれぞれ入射角を有して入射する画像光Ｌを、平行光に変換して漏れなくレンチキュラーレンズ６ａへ出射する。レンチキュラーレンズ６ａは、フレネルレンズ６ｂからの画像光Ｌを映像として表示し、さらに、視野角を拡大させて出射する。視野角を拡大させることにより、リアプロジェクタ１は、スクリーン６に正対する位置以外の斜めの方向からも映像を視認することが可能である。このスクリーン６を枠体である前面外装５へ取り付けるための支持機構部１０について、以下の実施形態１および２において詳しく説明する。
（実施形態１）
【００２６】
図３は、前面外装へスクリーンを取り付けた状態の支持機構部を示す断面図である。図３は、前面外装５の上面側に設けられた支持機構部１０を示している。図３に示すように、支持機構部１０は、スクリーン６と、スクリーン受部（受面）１５を有する前面外装５と、スクリーン６の背面６ｃの縁辺に合わせて貼付された支持部材１１と、支持部材１１に係合する支持バネ（弾性部材）１２と、から成る構成である。前面外装５、支持部材１１および支持バネ１２は、樹脂製であり、このリアプロジェクタ１の場合、ポリカーボネイトが用いられている。
【００２７】
このような構成の支持機構部１０において、スクリーン６に貼付された支持部材１１は、断面が四角形である。この四角形を形成する面の内、スクリーン６の中央部へ向いていて支持バネ１２と係合するための面が係合面１１ａである。前面外装５は、スクリーン６の縁辺を受けるためのスクリーン受部１５と、スクリーン受部１５の上面側に設けられている支持バネ１２の受溝１６と、受溝１６の上面側に位置するバネ固定部１７のバネ固定穴１７ａと、を有し、バネ固定部１７のさらに上面側で他の外装部材と接合して外装筐体２を形成する。
【００２８】
支持バネ１２は、係合面１１ａとスクリーン６の背面６ｃとの接部近傍（最近部）へ係合する一端１２ａと、一端１２ａが安定したバネ力を維持するために前面外装５の受溝１６へ嵌合する嵌合部１２ｂと、バネ固定部１７のねじ１７ｂでバネ固定穴１７ａに固定される他端１２ｃと、を有する。図３に示す支持バネ１２の取り付け手順は、まず、一端１２ａを係合面１１ａに係合させ、次に、スクリーン６をスクリーン受部１５へ押し付けつつ上面方向へ移動させる。そして、支持バネ１２の嵌合部１２ｂが受溝１６と勘合した後、バネ固定部１７で前面外装に固定する。
【００２９】
同様にして、前面外装５の上面側の支持バネ１２に対向して配置されている図示していない底面側の支持バネ１２を取り付ける。そして、対向する支持バネ１２が前面外装５にそれぞれ固定されると、支持バネ１２の一端１２ａにバネ力が生じ、上面側の支持バネ１２は、支持部材１１の係合面１１ａを上面方向へ押してスクリーン６を上面方向へ引っ張る方向の張力Ｐと、スクリーン６を前面外装５のスクリーン受部１５に押し付ける方向の押圧力Ｑと、をスクリーン６へ付与する。また、図示していない底面側の支持バネ１２は、支持部材１１の係合面１１ａを底面方向へ押して、スクリーン６を底面方向へ引っ張る方向の張力Ｐと、スクリーン６を前面外装５のスクリーン受部１５に押し付ける方向の押圧力Ｑと、をスクリーン６へ付与する。
【００３０】
このように、上面側の支持バネ１２と底面側の支持バネ１２とによって、スクリーン６を前面外装５に押し付けた状態で、上面および底面の両側からスクリーン６へ張力Ｐを付与する。さらに、図示していない両側面の側に、それぞれ支持バネ１２を取り付けて、スクリーン６を前面外装５に押し付けた状態で、両側面からスクリーン６へ張力Ｐを付与する。
【００３１】
これにより、スクリーン６には、上下左右の各方向から張力Ｐが作用し、且つ、張力Ｐの作用点がスクリーン６の直近であり、スクリーン６を回転させて歪みなどを生じさせるモーメントが作用しない。そのため、常に、スクリーン６の平面性が保たれる。また、同時に、押圧力Ｑにより前面外装５に押し付けられているため、前面外装５との間に隙間などが生じず、外装筐体２との一体感も保たれる。
【００３２】
次に、断面図を参照して説明した支持機構部１０について、斜視図を用いてその全貌を説明する。図４は、実施形態１におけるスクリーンの取り付け構成を示す斜視図である。図４は、前面外装５を内面側から見た図である。図４に示すように、スクリーン６を取り付ける前面外装５は、略四角形の開口部５ａを有し、開口部５ａと合同形状の枠状をなしている。
【００３３】
前面外装５の内面側には、開口部５ａの側から順に、開口部５ａの全周に沿って形成されたスクリーン受部１５と、支持バネ１２を受けるため略四角形をなす開口部５ａの４つの各辺に所定長さを有して形成された受溝１６と、同じく各辺に形成されたバネ固定部１７のバネ固定穴１７ａと、が設けられている。
【００３４】
また、スクリーン６の背面６ｃには、長辺が受溝１６の長さより長い直方体である支持部材１１が、スクリーン６の各縁辺に沿って貼付されている。既述したように、各支持部材１１において、スクリーン６の面と略直角をなしスクリーン６の中央部へ向いている面が、支持バネ１２と係合する係合面１１ａである。
【００３５】
前面外装５へスクリーン６を取り付ける支持バネ１２は、図３に示す断面形状を有する長尺のもので、長さは、受溝１６へ嵌合されるように、受溝１６より短く設定されている。図４には、図３で説明した上面側の支持バネ１２のみを記載してあるが、前面外装５の底面側および両側面側にも、スクリーン６を取り付けるため、図示していない３つの支持バネ１２が存在する。
【００３６】
ここで、図４を参照して、支持バネ１２によるスクリーン６の取り付けについて、改めて簡単に説明する。まず、背面６ｃに支持部材１１が貼付されたスクリーン６を前面外装５の開口部５ａを塞ぐように配置する。次に、上面側の支持バネ１２の長尺方向を前面外装５の該当する受溝１６の位置に合わせ、支持バネ１２の長尺方向に延在する一端１２ａのすべての部分を、支持部材１１の係合面１１ａに係合する。そして、スクリーン６の背面６ｃを押してスクリーン６を前面外装５のスクリーン受部１５へ密着させつつ、受溝１６の方向へ移動し、支持バネ１２の嵌合部１２ｂを受溝１６へ挿入する。挿入後、支持バネ１２の他端１２ｃをねじ１７ｂで前面外装５のバネ固定穴１７ａへ固定する。
【００３７】
同様にして、図示していない底面側の支持バネ１２を取り付ける。対向して取り付けられた上面側と底面側との支持バネ１２によって、スクリーン６へそれぞれ張力Ｐおよび押圧力Ｑが付与される。さらに、同様にして、図示していない両側面の支持バネ１２を取り付け、両側面のそれぞれの側から、スクリーン６へ張力Ｐおよび押圧力Ｑを付与する。これらの張力Ｐおよび押圧力Ｑにより、スクリーン６の平面性が保たれる。
【００３８】
なお、支持部材１１の長さは、略四角形のスクリーン６の角部において、他の支持部材１１と干渉しない範囲でできる限り長く設定することが望ましい。また、受溝１６は、開口部５ａの辺の中央に対して均等に割り振られて配置されることが望ましい。これにより、支持バネ１２による張力Ｐおよび押圧力Ｑが、バランス良くスクリーン６へ付与され、スクリーン６の平面性を保持することが可能である。
【００３９】
以下に、実施形態１の効果を記載する。
【００４０】
支持機構部１０は、支持バネ１２の一端１２ａがスクリーン６の縁辺に沿って長尺状をなしていて、スクリーン６の縁辺に対してバランスの取れた張力Ｐおよび押圧力Ｑを付与する。そのため、スクリーン６に伸縮等が生じても容易に補正でき、スクリーン６の平面性を保時することが可能である。
【００４１】
そして、支持バネ１２の一端１２ａは、スクリーン６の背面６ｃに貼付された支持部材１１の係合面１１ａにおけるスクリーン６との直近位置（最近部）で係合し、張力Ｐと押圧力Ｑとを同時に付与する。従って、張力Ｐと押圧力Ｑとを別バネで付与する必要が無く、支持バネ１２の構成が単純である。さらに、張力Ｐおよび押圧力Ｑに抗して、スクリーン６を回転させて歪等を生じさせるようなモーメントが作用せず、常に、スクリーン６の平面性が保持される。
【００４２】
また、スクリーン６は、レンチキュラーレンズ６ａとフレネルレンズ６ｂとを有する構成のため、視野角の広いリアプロジェクタ１を提供することが可能である。
（実施形態２）
【００４３】
次に、本発明の実施形態２について説明する。実施形態２は、実施形態１と比較して、弾性部材としての支持バネの構成が相違している。以下では、実施形態１との相違点を主に説明する。図５は、実施形態２におけるスクリーンの取り付け構成を示す斜視図である。図５に示すように、支持バネ２０以外の前面外装５およびスクリーン６の構成は、実施形態１と同様である。
【００４４】
前面外装５へスクリーン６を取り付ける支持バネ２０は、図３に示す断面と同じ形状を有しており、図５に示すように、前面外装５の上面側に位置する支持部材１１に対して、３つの同じ支持バネ２０が取り付けられている。従って、支持バネ２０の支持部材１１に沿う方向の長さは、実施形態１の支持バネ１２より短い。なお、図５には、上面側の支持バネ２０のみを記載してあるが、前面外装５の底面側および両側面側にスクリーン６を取り付けるため、図示していないが、それぞれの側に支持バネ２０が３つずつ配置されて存在する。
【００４５】
ここで、図５を参照して、支持バネ２０によるスクリーン６の取り付けについて、簡単に説明する。まず、背面６ｃに支持部材１１が貼付されたスクリーン６を前面外装５の開口部５ａを塞ぐように配置する。次に、上面側の支持バネ２０の内、中央の支持バネ２０を前面外装５の中央のバネ固定穴２１の位置に合わせ、支持バネ２０の長尺方向に延在する一端２０ａのすべての部分を、支持部材１１の係合面１１ａに係合する。
【００４６】
そして、スクリーン６の背面６ｃを押してスクリーン６を前面外装５のスクリーン受部１５へ密着させつつ、受溝１６の方向へ移動し、支持バネ２０の嵌合部２０ｂを受溝１６へ挿入する。挿入後、支持バネ２０の他端２０ｃを前面外装５の中央のバネ固定穴２１へ不図示のネジにより固定する。次に、上面側の支持バネ２０の残り２つを、中央の支持バネ２０と同様に、バネ固定穴２１の位置に合わせて、同じ支持部材１１へ係合させて前面外装５へ取り付ける。
【００４７】
同様にして、図示していない底面側の３つの支持バネ２０を上面側に取り付けた支持バネ２０に対向させて取り付ける。対向して取り付けられた上面側と底面側との支持バネ２０によって、スクリーン６へ張力Ｐおよび押圧力Ｑが付与される。さらに、図示していない両側面の３つの支持バネ２０をそれぞれ対向させて取り付け、両側面のそれぞれの側から、スクリーン６へ張力Ｐおよび押圧力Ｑを付与する。これらの張力Ｐおよび押圧力Ｑにより、スクリーン６の平面性が保たれる。
【００４８】
以下に、実施形態２の効果を記載する。
【００４９】
３つの支持バネ２０をバランス良く支持部材１１に係合する構成のため、スクリーン６に対して部分的に張力Ｐを増減させるなどのきめ細かな設定が可能である。特に、自重のある大型のスクリーン６において、弛んで歪みが生じ易い中央部分へ張力Ｐを増やすことなどの操作が容易にでき、スクリーン６の平面性の維持に対し効果的である。
【００５０】
また、１つの長尺の支持バネ１２に替えて、３つの支持バネ２０によって部分的に支持部材１１と係合するため、支持バネ２０のトータルの軽量化が図れる。
【００５１】
また、本発明は上記の実施形態に限定されるものではなく、次に挙げる変形例のような形態であっても、実施形態とほぼ同様な効果が得られる。
【００５２】
例えば、支持部材１１の断面形状は、実施形態１および２の四角形に限定されない。図６（ａ）〜（ｃ）は、支持部材の形状の変形例を示す断面図である。図６（ａ）に示すように、支持部材２５は、断面がＬ字状をなすように支持部材２５を切り欠いた係合面２５ａを有していても良い。この係合面２５ａのＬ字状の角部（最近部）に支持バネ１２（２０）が係合する。従って、支持バネ１２（２０）がスクリーン６に直接接しないため、スクリーン６の背面６ｃに局部的な応力の集中を避けることができ、スクリーン６の寿命向上が図れる。
【００５３】
また、図６（ｂ）に示すように、支持部材２５自体がＬ字状の形状をなし、Ｌ字状の２面は、スクリーン６の背面６ｃおよび端面６ｄへ貼付されている。この場合、係合面２５ａにおける作用は、実施形態１および２の係合面１１ａと同じである。この支持部材２５によれば、スクリーン６と支持部材２５との貼付をより強固にすることが可能である。
【００５４】
さらに、図６（ｃ）に示すように、支持部材２５自体が略Ｕ字状の形状をなし、略Ｕ字状の３面は、スクリーン６の背面６ｃ、端面６ｄおよび前面外装５の側の前面６ｅへ貼付されている。スクリーン６の面と平行方向において、支持部材２５の前面６ｅと貼付している長さは、背面６ｃと貼付している長さより短く設定してある。また、前面外装５は、前面６ｅと貼付する支持部材２５の部分が当接しないための逃部５ｂを有する。これにより、係合面２５ａが実施形態１および２の係合面１１ａと同様に係合すると、スクリーン６には、支持部材２５を介して張力Ｐと押圧力Ｑとが付与され、前面外装５へ取り付けられる。この支持部材２５によれば、スクリーン６と支持部材２５との貼付をさらに安定して強固にすることが可能である。
【００５５】
なお、スクリーン６の面と略直角をなす方向の係合面１１ａ，２５ａは、スクリーン６の中央方向へ傾きスクリーン６の面と鋭角をなしていても良い。鋭角をなしていれば、支持バネ１２との係合が外れ難くなる。但し、鋭角が小さくなるほど張力Ｐの作用点がスクリーン６から離反し、支持部材１１，２５へ回転モーテントを生じさせるため、設計上の留意が必要である。
【００５６】
そして、支持バネ１２および２０についても実施形態１および２に限定されることなく、その断面は、張力Ｐおよび押圧力Ｑがスクリーン６へ付与できれば、図２に示す形状と異なる形状であっても良い。また、支持バネ１２（２０）の一端１２ａで張力Ｐおよび押圧力Ｑを同時に付与する構成ではなく、別々の端部によって張力Ｐまたは押圧力Ｑをそれぞれ付与する構成であっても良い。
【００５７】
また、図４および図５に示すような対向する支持部材１１の双方に支持バネ１２（２０）を取り付ける構成ではなく、一方を支持バネ１２（２０）以外で固定し、他方にのみ支持バネ１２（２０）を取り付けて張力Ｐおよび押圧力Ｑを付与する構成であっても良い。この構成によれば、スクリーン６の取り付けが容易であり、弛みなどの生じ難い小型のスクリーン６の取り付けに適する。
【００５８】
支持バネ１２（２０）の前面外装５への取り付けは、ネジ１７ｂを用いることによらず、前面外装５に形成した突起等に仮止めし、突起を溶着して固定しても良い。これにより、部品数の削減、取り付け時間の短縮が図れる。
【００５９】
支持バネ１２（２０）の取り付け数については、各支持部材１１に対して１つまたは３つずつ取り付ける構成に限定されず、他の数量の支持バネ１２（２０）を取り付けても良い。多数の支持バネ１２（２０）の取り付けによれば、スクリーン６へ付与する張力Ｐおよび押圧力Ｑをより微調整することが可能である。
【００６０】
実施形態２において、支持部材１１が延在する方向の支持バネ２０のそれぞれの長さは、同一ではなく、例えば、中央部に取り付ける支持バネ２０が長く、他の２つの支持バネ２０が短い設定のように異なっていても良い。弛んで歪みが生じ易いスクリーン６の中央部分が長い支持バネ２０で確実に保持されるため、スクリーン６の平面性を維持するには好ましい。
【００６１】
同じく実施形態２において、前面外装５の受溝１６は、３つの支持バネ２０に共通の長溝ではなく、３つの支持バネ２０のそれぞれに対応して個別に設けられた短い溝であっても良い。この設定により、前面外装５の剛性が向上し、張力Ｐおよび押圧力Ｑに抗してより変形し難くなり、スクリーン６の大型化に対応することが可能である。
【００６２】
また、実施形態１および２において、スクリーン６の構成として、レンチキュラーレンズ６ａとフレネルレンズ６ｂとを用いているが、これに限定するものではなく、レンチキュラーレンズ６ａの替わりにマイクロレンズアレイを用いて視野角を拡大し、フレネルレンズ６ｂの替わりにホログラムを利用して入射する光の入射角度を略同方向に変換しても良い。
【００６３】
そして、リアプロジェクタ１の光変調部３ｃとして液晶パネルを用いているが、液晶パネルに限定せずに、入射光を画像情報に応じて変調するものであれば採用可能である。例えば、マイクロミラー型の光変調部などを用いても良い。
【００６４】
以上、本発明を実施するための最良の形態について、特定の実施形態１および２に関して図示し、且つ、説明した。実施形態１および２に対して、本発明の技術的思想および目的の範囲から逸脱することなく、上述した変形例を含め様々な変更、改良をさらに加えることが可能である。従って、詳細な構成部材や、構成部材の形状・材質・数量などにおいて、様々な変更、改良を加えて実施する形態は、本発明に含まれるものである。
【図面の簡単な説明】
【００６５】
【図１】本発明のリアプロジェクタの概略の構成を示す断面図。
【図２】スクリーンと、投射部からの入射光との関係を示す模式図。
【図３】前面外装へスクリーンを取り付けた状態の支持機構部を示す断面図。
【図４】実施形態１におけるスクリーンの取り付け構成を示す斜視図。
【図５】実施形態２におけるスクリーンの取り付け構成を示す斜視図。
【図６】支持部材の形状の変形例を示す断面図。
【符号の説明】
【００６６】
１…リアプロジェクタ、２…外装筐体、３…プロジェクタユニット、３ａ…制御部、３ｂ…光源部、３ｃ…光変調部、３ｄ…投射部、４…反射ミラー、５…枠体としての前面外装、６…スクリーン、６ａ…レンチキュラーレンズ、６ｂ…フレネルレンズ、６ｃ…背面、１０…支持機構部、１１…支持部材、１１ａ…係合面、１２…弾性部材としての支持バネ、１５…受面としてのスクリーン受部、１６…受溝、１７…弾性部材の他端としてのバネ固定部、Ｐ…張力、Ｑ…押圧力。
【図１】
2008112023.tif 000003
【図２】
2008112023.tif 000004
【図３】
2008112023.tif 000005
【図４】
2008112023.tif 000006
【図５】
2008112023.tif 000007
【図６】
2008112023.tif 000008